(57)【要約】【課題】  他のオプション機器との関係でリモートコントロール機能を追加することができない測定装置に対しても、実質的にリモートコントロール機能を追加することができるリモートコントロールユニットを提供する。【解決手段】  リモートコントロール信号を利用してネットワークに接続された測定装置をリモートコントロールするリモートコントロールユニットにおいて、  リモートコントロール信号が入力される信号フィルタと、  前記フィルタに入力されたリモートコントロール信号が前記信号フィルタを通過する条件として使用される第１のパラメータが設定された設定情報記憶部と、  前記信号フィルタを通過したリモートコントロール信号が入力されると、前記設定情報記憶部に設定された前記測定装置の制御に使用される第２のパラメータに基づいて、通信コマンドを生成する通信コマンド生成部と、  この通信コマンドを、ネットワークを介して前記測定装置に出力する通信制御部と  を備える。  【選択図】                    図１
2007142789.tif 000002
【特許請求の範囲】
【請求項１】
リモートコントロール信号を利用してネットワークに接続された測定装置をリモートコントロールするリモートコントロールユニットにおいて、
リモートコントロール信号が入力される信号フィルタと、
この信号フィルタを通過する条件として使用される第１のパラメータが設定された設定情報記憶部と、
前記信号フィルタを通過したリモートコントロール信号が入力されると、前記設定情報記憶部に設定された前記測定装置の制御に使用される第２のパラメータに基づいて、通信コマンドを生成する通信コマンド生成部と、
この通信コマンドを、ネットワークを介して前記測定装置に出力する通信制御部と
を備えることを特徴とするリモートコントロールユニット。
【請求項２】
前記測定装置の制御に使用される第２のパラメータは、少なくとも制御対象となる前記測定装置に対する接続手続と通信コマンドの文字列を含むことを特徴とする請求項１記載のリモートコントロールユニット。
【請求項３】
リモートコントロール信号のチャネルごとに第１のパラメータ、及び第２のパラメータを規定し、複数の前記測定装置をリモートコントロールすることを特徴とする請求項１又は２記載のリモートコントロールユニット。
【請求項４】
前記リモートコントロールユニットを設定モードに切り替えるモードスイッチを備え、
このモードスイッチが設定モードのときに、第１のパラメータ、及び第２のパラメータが、前記設定情報記憶部に前記通信制御部を介してパーソナルコンピュータにより書き込みされることを特徴とする請求項１乃至３のいずれかに記載のリモートコントロールユニット。
【請求項５】
第１のパラメータ、及び第２のパラメータの設定は、グラフィカル・ユーザー・インターフェースを実現するＷＥＢサーバー機能、又は専用ソフトウェアを前記リモートコントロールユニットに備え、これらの機能を使用してなされることを特徴とする請求項１乃至４のいずれかに記載のリモートコントロールユニット。
【発明の詳細な説明】
【技術分野】
【０００１】
本発明は、ネットワークを介して測定装置をリモートコントロールするリモートコントロールユニットに関し、特に他のオプション機器との関係でリモートコントロール機能を追加することができない測定装置に対しても、実質的にリモートコントロール機能を追加することができるリモートコントロールユニットに関する。
【背景技術】
【０００２】
記録計等の測定装置は、一般にリモートコントロールの機能をオプションとして追加できるように設計されている。このようなリモートコントロール機能は、例えば記録計の記録開始、終了、ペン昇降等を行う端子を備えた機器を、測定装置の内部に組み込むことにより実現されるものである。また、これらのリモートコントロール機能は、通常シーケンサの出力等を利用して構成される場合が多く、特に自動化計測の分野では比較的簡便に実現できることから広く利用されている。このようなリモートコントロールユニットの先行技術文献としては次のようなものがある。
【０００３】
【特許文献１】特公平６−４８８６９号公報
【０００４】
以下、従来のリモートコントロールユニットについて図４を参照して説明する。図４において、測定装置１は、オプション端子２を備えており、リモートコントロールに必要な機器がオプション端子２に接続される。そして、シーケンサ等で構成されたコントローラ３の出力信号を使用しオプション端子２を介して測定装置１がリモートコントロールされる。なお、測定装置１をリモートコントロールする信号は、シーケンサを使用しないでユーザが図示しないボタンで操作することにより実現しても良い。
【発明の開示】
【発明が解決しようとする課題】
【０００５】
しかしながら、従来のリモートコントローラには以下のような問題点があった。すなわち、記録計等の測定装置では他のオプション機器を組み込んだ場合、互換性等の問題からリモートコントロールに必要な機器をオプションとして組み込むことができない場合がある。さらに、そもそも測定装置の種類によっては、リモートコントロール機能をオプションとして組み込むことができない場合がある。
【０００６】
本発明は、これらの問題点に鑑みてなされたものであり、他のオプション機器との関係でリモートコントロール機能を追加することができない測定装置に対しても、実質的にリモートコントロール機能を追加することができるリモートコントロールユニットに関する。
【課題を解決するための手段】
【０００７】
このような課題を達成するために請求項１記載の発明は、
リモートコントロール信号を利用してネットワークに接続された測定装置をリモートコントロールするリモートコントロールユニットにおいて、
リモートコントロール信号が入力される信号フィルタと、
この信号フィルタを通過する条件として使用される第１のパラメータが設定された設定情報記憶部と、
前記信号フィルタを通過したリモートコントロール信号が入力されると、前記設定情報記憶部に設定された前記測定装置の制御に使用される第２のパラメータに基づいて、通信コマンドを生成する通信コマンド生成部と、
この通信コマンドを、ネットワークを介して前記測定装置に出力する通信制御部と
を備える。
【０００８】
また、請求項２記載の発明は、請求項１記載のリモートコントロールユニットにおいて、
前記測定装置の制御に使用される第２のパラメータは、少なくとも制御対象となる前記測定装置に対する接続手続と通信コマンドの文字列を含む。
【０００９】
また、請求項３記載の発明は、請求項１又は２記載のリモートコントロールユニットにおいて、
リモートコントロール信号のチャネルごとに第１のパラメータ、及び第２のパラメータを規定し、複数の前記測定装置をリモートコントロールすることを特徴とする。
【００１０】
また、請求項４記載の発明は、請求項１乃至３のいずれかに記載のリモートコントロールユニットにおいて、
前記リモートコントロールユニットを設定モードに切り替えるモードスイッチを備え、
このモードスイッチが設定モードのときに、第１のパラメータ、及び第２のパラメータが、前記設定情報記憶部に前記通信制御部を介してパーソナルコンピュータにより書き込みされる。
【００１１】
さらに、請求項５記載の発明は、請求項１乃至４のいずれかに記載のリモートコントロールユニットにおいて、
第１のパラメータ、及び第２のパラメータの設定は、グラフィカル・ユーザー・インターフェースを実現するＷＥＢサーバー機能、又は専用ソフトウェアを前記リモートコントロールユニットに備え、これらの機能を使用してなされる。
【発明の効果】
【００１２】
本発明では、次のような効果がある。リモートコントロール信号が入力されると、設定情報記憶部に設定された測定装置の制御に使用されるパラメータに基づいて通信コマンドを生成し、測定装置に出力するので、他のオプション機器との関係でリモートコントロール機能を追加できない測定装置に対しても、実質的にリモートコントロール機能を追加することができる。
【発明を実施するための最良の形態】
【００１３】
以下、本発明のリモートコントロールユニットについて図１を参照して説明する。リモートコントロールユニット１００は、モードスイッチ１１０、設定情報記憶部１２０、信号フィルタ１３０、信号コマンド生成部１４０、通信制御部１５０、通信ポート１６０を備え、測定装置３００をリモートコントロールする。
【００１４】
モードスイッチ１１０は、設定モードと運転モードを切り替えるスイッチであり、設定モードでは通信ポート１６０を介してパーソナルコンピュータ２００により設定情報記憶部１２０に設定情報を記録して運転モード動作の準備をすると共に、運転モードでは通信コマンド生成部１４０から出力される通信コマンドを通信ポート１６０から出力する。
【００１５】
設定部１１１は、表示部、及びＷＥＢサーバー又は専用ソフトから構成され、設定モードで動作する際に使用される。すなわち、モードスイッチ１１０を設定モードに切り替え、設定情報記憶部１２０に対して設定を行うにはＧＵＩ（グラフィカル・ユーザー・インタフェース）が必要となるので、リモートコントロールユニット１００にＷＥＢサーバー機能を追加したり、専用のソフトウェアをインストールしたりする必要があり、これらの有する機能を実現するために表示部が必要とされる。
【００１６】
設定情報記憶部１２０は、モードスイッチ１１０が設定モードの際に、通信ポート１６０を介して各種パラメータが書き込まれる。なお、設定情報記憶部１２０に測定装置３００に対するコントロールの履歴を保存し、この履歴データを専用ソフトウェアやＷＥＢ等を利用して参照したり、Telnetを利用して遠隔操作によりインタラクティブ表示したりすることにより参照しても良い。
【００１７】
信号フィルタ１３０は、複数のリモートコントロール信号が入力され、設定情報記憶部１２０に記憶される各チャネルの通過条件として記憶された第１のパラメータに基づいて、通信コマンド生成部１４０に出力すべきリモートコントロール信号をフィルタリングする。
【００１８】
通信コマンド生成部１４０は、信号フィルタ１３０を通過したリモートコントロール信号が入力されると、設定情報記憶部１２０に設定された測定装置３００の制御に使用される第２のパラメータに基づいて、通信コマンドを生成する。ここで第２のパラメータは、通信の態様により異なるが、イーサネット（登録商標）を使用する場合には、制御対象となる測定装置３００に対する接続手続き、例えばＩＰアドレス、接続ポート番号の他、通信コマンドの文字列（例えば、チャートスタートを意味内容とする文字列”ＣＳ１”）である。
【００１９】
また、シリアル通信の場合には、ボーレート等の接続手続きに関する通信条件を第２のパラメータとして設定する。さらに、モドバス通信の場合には、図示しないスレーブユニットのユニット番号と駆動するレジスタ番号を設定する。
【００２０】
通信制御部１５０は、通信コマンドを、ネットワークを介して測定装置３００に出力すると共に、運転モード動作時に測定装置３００との通信制御を行う。ここで、通信制御部１５０が行う通信制御とは、例えば測定装置３００に対するレスポンス時間を監視したり、タイムアウトに要する時間をカウントしたり、さらにはタイムアウトした場合のリトライカウントをカウントしたりすることをいう。
【００２１】
通信ポート１６０は、通信コマンドを、ネットワークを介して測定装置３００に出力する。パーソナルコンピュータ２００は、ネットワークを介して設定情報記憶部１２０に対して第１のパラメータ、及び第２のパラメータの設定を行う。
【００２２】
測定装置３００は、リモートコントロールユニット１００でコントロールされる測定装置である。コントローラ４００は、シーケンサ等で構成され、図２のようにチャネルごとにリモートコントロール信号をリモートコントロールユニット１００に出力する。なお、測定装置３００をリモートコントロールする信号は、シーケンサを使用しないでユーザが図示しないボタンで操作することにより実現しても良い。
【００２３】
次に、図３を参照して設定モード時の図１の動作を説明する。ここで図３は、ＧＵＩを使用して第１パラメータ、第２パラメータを設定情報記憶部１２０に設定する画面の説明図である。まず、モードスイッチ１１０を設定モードに切り替え、リモートコントロールユニット１００の電源を投入し設定動作を行う。具体的には、パーソナルコンピュータ２００の図示しないキーボードを利用して設定情報記憶部１２０に対し、図３の様に第１のパラメータ、及び第２のパラメータを設定する。
【００２４】
すなわち、図３では、図２のチャネルＡ〜チャネルＧに対応する各入力端子（ＰＩＮ１〜ＰＩＮ８）について、接点をオフからオンへ変化させた場合、オンからオフに変化した場合の動作を定義さする。ここで、”ＯＦＦ→ＯＮ”の横のチェックボックスは、これらのピンの信号変化を制御に使用するかどうかを決めるためのものであり、チェックボックスをチェックすることにより変化検出を有効にすることができる。これが第１パラメータとなる。
【００２５】
続いて、第２のパラメータを設定する。すなわち、チェックボックスの横にコマンドの文字列を入力する他、測定装置３００に対する接続手続に利用される測定器ＩＰアドレス５００、使用ポート番号５０１のフィールドに、それぞれ所定のＩＰアドレス、及びポート番号を入力する。
【００２６】
次に、運転モード時の図１の動作について図３を参照して説明する。まず、モードスイッチ１１０を運転モードに切り替える。そして、例えばＰＩＮ２で接点信号がオフからオンに変わったとき（符号５０２）、設定ではチェックが入っているので（符号５０３）、ここで設定されているコマンド文字列”ＰＬ０”を（符号５０４）、ＩＰアドレスが”１０．２．５．６９”の測定装置へ使用ポート番号”３０１２４”を使って送信する（符号５００、５０１）。測定装置３００はこのコマンドを受信して実際に記録計のペンをダウンし、紙に実際の記録を開始する。
【００２７】
なお、これらの設定はコマンドを対象の測定装置に合わせるだけで様々な用途に使用できる。例えば、測定装置のＩＰアドレスやポート番号を図示しないオシロスコープを指定するＩＰアドレスに書き換え、コマンドもオシロスコープ用に書き換えることで、ＰＩＮ１をオシロのアクィジション開始終了に使用することもできる。
【００２８】
さらに、図３の例では、すべてのＰＩＮが単一測定装置３００を想定しているが、入力端子ごとに測定装置のＩＰアドレスとポート番号を登録することにより、複数の入力端子を使って複数の測定装置のリモートコントロールも可能となる。例えば、３台のチャート式記録計を、入力端子１乃至３を使って個別に記録の制御を行うこともできる。
【００２９】
このように、本発明は、外部制御信号、すなわちコントローラ４００から出力される信号に対応する通信コマンドをそのまま測定装置３００に出力するので、他のオプション機器との関係でリモートコントロール機能を追加できない測定装置に対しても、実質的にリモートコントロール機能を追加することができる。
【００３０】
また、コントローラ４００から出力される信号に対応する通信コマンドをそのまま測定装置３００に出力するので、コントローラ４００から出力される信号をモニタリングする必要も表示する必要もない。従って、測定装置３００のリモートコントロールに煩雑な操作が必要とされない。
【図面の簡単な説明】
【００３１】
【図１】本発明によるリモートコントロールシステムの構成図である。
【図２】リモートコントロールユニット１００の背面図である。
【図３】ＧＵＩを使用して第１パラメータ、第２パラメータを設定情報記憶部１２０に設定する画面の説明図である。
【図４】従来のリモートコントロールシステムの構成図である。
【符号の説明】
【００３２】
１００            リモートコントロールユニット
１１０            モードスイッチ
１２０            設定情報記憶部
１３０            信号フィルタ
１４０            通信コマンド生成部
１５０            通信制御部
【図１】
2007142789.tif 000003
【図２】
2007142789.tif 000004
【図４】
2007142789.tif 000005
【図３】
2007142789.tif 000006